【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
隣接する他装置の表示部と連携して、１つの画像を構成する複数の部分画像のうち互いに隣接する部分を表示する表示部を有する表示装置であって、
自装置の挙動に関する情報を検出する検出手段と、
前記検出手段により検出される、前記他装置の近傍で前記自装置が静置されるまでの期間の前記挙動に関する情報に基づき、前記他装置との連結部位を特定する特定手段と、
前記１つの画像を構成する複数の部分画像のうち、前記特定手段が特定した前記連結部位により特定される部分を、自装置の前記表示部に表示させる表示制御手段と、を備えることを特徴とする、
表示装置。
【請求項２】
前記特定手段が特定した前記連結部位により、前記自装置の表示部と前記他装置の表示部との相対位置を特定し、特定した相対位置に応じて、前記１つの画像を構成する複数の部分画像のうち、前記他装置の表示部に表示させる画像を、所定の通信手段を介して前記他装置へ通知する画像管理手段を更に備えることを特徴とする、
請求項１に記載の表示装置。
【請求項３】
隣接する他装置の表示部と連携して、１つの画像を構成する複数の部分画像のうち互いに隣接する部分を表示する表示部を有する表示装置であって、
前記他装置が自装置に近づいて静置されるまでの期間の前記他装置の挙動に関する情報を、所定の通信手段を介して取得する取得手段と、
取得した前記情報に基づき、当該他装置との連結部位を特定する特定手段と、
前記１つの画像を構成する複数の部分画像のうち、前記特定手段が特定した前記連結部位により特定される部分を、自装置の前記表示部に表示させる表示制御手段と、を備えることを特徴とする、
表示装置。
【請求項４】
それぞれ表示部を備えた第１表示装置及び第２表示装置との間で通信を行う通信手段と、
前記第１表示装置に近づくときの前記第２表示装置の挙動に関する情報を当該第２表示装置より受領し、前記情報に基づき、前記第１表示装置と前記第２表示装置との連結部位を特定する特定手段と、
特定した連結部位により、前記第１表示装置の表示部と前記第２表示装置の表示部との相対位置を特定し、特定した相対位置に応じて、１つの画像を構成する複数の部分画像のうち、前記第１表示装置の表示部に表示させる画像を当該第１表示装置へ通知するとともに前記第２表示装置の表示部に表示させる画像を当該第２表示装置へ通知する画像管理手段と、を備えることを特徴とする、
表示装置。
【請求項５】
前記検出手段は、その設置部位に作用する加速度又は角速度並びに方位を検出し、
前記特定手段は、各表示部の形状及びサイズを表すサイズ情報を保持しており、このサイズ情報と前記検出手段による検出の結果の変化情報とを解析することにより、前記連結部位を特定することを特徴とする、
請求項１乃至４のいずれか１項に記載の表示装置。
【請求項６】
前記表示部は矩形であり、
前記特定手段は、前記サイズ情報と前記センサの検出結果の変化情報とを解析することにより、四辺のうちの一辺を前記連結部位に特定することを特徴とする、
請求項５に記載の表示装置。
【請求項７】
前記特定手段は、各表示部の向きが同じ場合に前記連結部位の特定を行うことを特徴とする、
請求項５に記載の表示装置。
【請求項８】
それぞれ画像表示用の表示部及び通信モジュールを備えた第１表示装置と第２表示装置とを含むシステムであって、
複数の部分画像に分割される全体画像を保持する全体画像保持手段と、
前記第１表示装置へ近づいて静置されるまでの期間の前記第２表示装置の挙動に関する情報を検出する検出手段と、
検出された情報に基づき、前記第１表示装置と前記第２表示装置との連結部位を特定する特定手段と、
特定した連結部位により、各表示部の相対位置を特定し、特定した相対位置に応じて前記全体画像を分割し、これにより得られる部分画像を前記相対位置に応じて各表示部に表示させる画像管理手段と、を備えることを特徴とする、
画像表示システム。
【請求項９】
前記第１表示装置は、前記部分画像の表示を許可する許可情報を報知する許可手段を備えており、
前記画像管理手段は、前記第１表示装置から前記許可情報が報知されていることを条件として前記全体画像を分割することを特徴とする、
請求項８に項記載の画像表示システム。
【請求項１０】
それぞれ画像表示用の表示部及び通信モジュールを備えた第１表示装置と第２表示装置とを含み、複数の部分画像に分割される全体画像を保持するシステムにより実行される方法であって、
前記第１表示装置へ近づいて静置されるまでの期間の前記第２表示装置の挙動に関する情報を検出するステップと、
検出された情報に基づき、前記第１表示装置と前記第２表示装置との連結部位を特定するステップと、
特定した連結部位により、各表示部の相対位置を特定し、特定した相対位置に応じて前記全体画像を分割し、これにより得られる部分画像を前記相対位置に応じて各表示部に表示させるステップと、を含むことを特徴とする、
画像表示方法。
【請求項１１】
隣接する他装置の表示部と連携して、１つの画像を構成する複数の部分画像のうち互いに隣接する部分を表示する表示部を有するコンピュータを、
自装置の挙動に関する情報を検出する検出手段、
前記検出手段により検出される、前記他装置の近傍で前記自装置が静置されるまでの期間の前記挙動に関する情報に基づき、前記他装置との連結部位を特定する特定手段、
前記１つの画像を構成する複数の部分画像のうち、前記特定手段が特定した前記連結部位により特定される部分を、自装置の前記表示部に表示させる表示制御手段、
として機能させるためのコンピュータプログラム。
【請求項１２】
隣接する他装置の表示部と連携して、１つの画像を構成する複数の部分画像のうち互いに隣接する部分を表示する表示部を有するコンピュータを、
前記他装置が自装置に近づいて静置されるまでの期間の前記他装置の挙動に関する情報を、所定の通信手段を介して取得する取得手段、
前記取得した前記情報に基づき、当該他装置との連結部位を特定する特定手段、
前記１つの画像を構成する複数の部分画像のうち、前記特定手段が特定した前記連結部位により特定される部分を、自装置の前記表示部に表示させる表示制御手段、
として機能させるためのコンピュータプログラム。
【請求項１３】
コンピュータを、
それぞれ表示部を備えた第１表示装置及び第２表示装置との間で通信を行う通信手段、
前記第１表示装置に近づくときの前記第２表示装置の挙動に関する情報を当該第２表示装置より受領し、前記情報に基づき、前記第１表示装置と前記第２表示装置との連結部位を特定する特定手段、
特定した連結部位により、前記第１表示装置の表示部と前記第２表示装置の表示部との相対位置を特定し、特定した相対位置に応じて、１つの画像を構成する複数の部分画像のうち、前記第１表示装置の表示部に表示させる画像を当該第１表示装置へ通知するとともに前記第２表示装置の表示部に表示させる画像を当該第２表示装置へ通知する画像管理手段、
として機能させるためのコンピュータプログラム。
【手続補正２】
【補正対象書類名】明細書
【補正対象項目名】０００８
【補正方法】変更
【補正の内容】
【０００８】
本発明の表示装置は、隣接する他装置の表示部と連携して、１つの画像を構成する複数の部分画像のうち互いに隣接する部分を表示する表示部を有する表示装置であって、自装置の挙動に関する情報を検出する検出手段と、前記検出手段により検出される、前記他装置近傍で前記自装置が静置されるまでの期間の前記挙動に関する情報に基づき、前記他装置との連結部位を特定する特定手段と、前記１つの画像を構成する複数の部分画像のうち、前記特定手段が特定した前記連結部位により特定される部分を、自装置の前記表示部に表示させる表示制御手段と、を備えることを特徴とする。